(57)【要約】【課題】希釈排ガスを採取するサンプリング部を複数のベンチュリで構成した場合において、装置を大型化及びコスト増大を抑えつつ、複数のベンチュリの組み合わせにより得られる希釈排ガス流量に合わせて希釈用ガス流量を精度良く得る。【解決手段】希釈排ガスの一部を採取するサンプリング部８が、希釈排ガス分析機器に導入される希釈排ガスの流量を制御する複数のベンチュリを並列に接続して構成されており、希釈用ガスサンプル流路ＳＬ２に設けられた流量制御部９が、希釈用ガス分析機器に導入される希釈用ガスの流量を制御する複数のベンチュリを並列に接続して構成されている。【選択図】図１
2014173910.tif 000002
【特許請求の範囲】
【請求項１】
排ガスを導入するための排ガス導入ポートと、
希釈用ガスを導入するための希釈用ガス導入ポートと、
前記排ガス導入ポートに一端が接続されたメイン流路と、
前記希釈用ガス導入ポートに一端が接続され、他端が前記メイン流路に接続された希釈用ガス流路と、
前記メイン流路及び前記希釈用ガス流路の接続点又はその下流側に設けられ、前記希釈用ガスにより希釈された希釈排ガスの一部を採取するサンプリング部と、
前記サンプリング部に一端が接続され、他端が希釈排ガス分析機器に接続された希釈排ガスサンプル流路と、
前記希釈用ガス流路に一端が接続され、他端が希釈用ガス分析機器に接続された希釈用ガスサンプル流路と、
前記希釈用ガスサンプル流路に設けられて、当該希釈用ガスサンプル流路を流れる希釈用ガスの流量を制御する流量制御部とを備え、
前記サンプリング部が、前記希釈排ガス分析機器に導入される希釈排ガスの流量を制御する複数のベンチュリを並列に接続して構成されており、
前記流量制御部が、前記希釈用ガス分析機器に導入される希釈用ガスの流量を制御する複数のベンチュリを並列に接続して構成されている排ガスサンプリング装置。
【請求項２】
前記サンプリング部を構成する複数のベンチュリが、互いに異なる臨界流量を有するものであり、
前記流量制御部を構成する複数のベンチュリが、互いに異なる臨界流量を有するものであり、
前記サンプリング部を構成する複数のベンチュリの組み合わせ及び前記流量制御部を構成する複数のベンチュリの組み合わせが同じである請求項１記載の排ガスサンプリング装置。
【請求項３】
前記メイン流路において、前記サンプリング部よりも下流側に、前記メイン流路を流れる希釈排ガスの流量を一定にする一定流量制御機器が設けられている請求項１又は２記載の排ガスサンプリング装置。
【請求項４】
前記希釈排ガス分析機器が、前記希釈排ガスを採取するための希釈排ガス採取バッグであり、
前記希釈用ガス分析機器が、前記希釈用ガスを採取するための希釈用ガス採取バッグである請求項１乃至３の何れかに記載の排ガスサンプリング装置。
【発明の詳細な説明】
【技術分野】
【０００１】
本発明は、例えばエンジンから出た排ガスを大気等の希釈用ガスで希釈して、その希釈された排ガスをサンプリングする排ガスサンプリング装置に関するものである。
【背景技術】
【０００２】
この種の排ガスサンプリング装置としては、特許文献１に示すように、排ガス導入ポートから導入された排ガスが流れるメイン流路に、希釈用ガスを導入する希釈用ガス流路を接続し、その接続点の下流側において希釈された希釈排ガスの一部をサンプリングして、希釈排ガス採取バッグに採取するものがある。また、この排ガスサンプリング装置は、前記希釈排ガス採取バッグに採取された希釈排ガスの成分濃度のバックグランド補正を行うために、前記希釈用ガス流路から希釈用ガスの一部をサンプリングして、希釈用ガス採取バッグに採取している。そして、希釈排ガス採取バッグの希釈排ガスの成分濃度から希釈用ガス採取バッグの希釈用ガスの成分濃度を差し引くことで、排ガスの成分濃度を算出している。
【０００３】
具体的にこの排ガスサンプリング装置は、メイン流路にサンプリングベンチュリを設けて、希釈排ガス採取バッグに一定流量で採取するように構成されており、また、希釈用ガス流路にニードルバルブを設けて、希釈用ガス採取バッグに一定流量で採取するように構成されている。そして、希釈排ガス採取バッグへのサンプリング時間内において、希釈排ガス採取バッグに採取される希釈排ガス量と希釈用ガス採取バッグに採取される希釈用ガス量とを略同一にするために、前記サンプリングベンチュリの臨界流量と、前記ニードルバルブの制御流量とが略同一となるように構成されている。
【０００４】
ここで、例えば試験サイクルの変更に伴い前記サンプリング流量などを変更する等のために、複数のサンプリングベンチュリを設けて、それらサンプリングベンチュリを切り替える又は組み合わせることが考えられている。このとき、前記サンプリング時間内において、希釈排ガス採取バッグに採取される希釈排ガス量と希釈用ガス採取バッグに採取される希釈用ガス量とを略同一にするために、前記複数のサンプリングベンチュリの臨界流量と同一の制御流量を有する複数のニードルバルブを並列に設けることが考えられる。そして、複数のサンプリングベンチュリを組み合わせて希釈排ガス流量を制御した場合には、前記複数のニードルバルブを組み合わせて希釈用ガス流量を制御する必要がある。
【０００５】
しかしながら、ニードルバルブはバルブ上流側の圧力とバルブ下流側の圧力との差圧により流量が決まるところ、複数のニードルバルブを組み合わせて用いた場合にはバルブ単体での圧力条件と異なり、設定した流量が流れないため、希釈排ガス流量と同一の流量が得られない。このため、前記サンプリング時間において希釈排ガス採取バッグに採取された希釈排ガス量と希釈用ガス採取バッグに採取された希釈用ガス量とが異なってしまい、バックグランド補正を正確に行うことが難しいという問題がある。
【０００６】
また、複数のサンプリングベンチュリを組み合わせて得られる複数の希釈排ガス流量毎に、その希釈排ガス流量と同じ制御流量を有する複数のニードルバルブを設けることが考えられるが、装置が大型化してしまい、コストが増大してしまうという問題がある。
【先行技術文献】
【特許文献】
【０００７】
【特許文献１】特開２００１−２６４２２３号公報
【発明の概要】
【発明が解決しようとする課題】
【０００８】
そこで本発明は、希釈排ガスを採取するサンプリング部を複数のベンチュリで構成した場合において、装置を大型化及びコスト増大を抑えつつ、複数のベンチュリの組み合わせにより得られる希釈排ガス流量に合わせて希釈用ガス流量を精度良く得ることをその主たる課題とするものである。
【課題を解決するための手段】
【０００９】
すなわち本発明に係る排ガスサンプリング装置は、排ガスを導入するための排ガス導入ポートと、希釈用ガスを導入するための希釈用ガス導入ポートと、前記排ガス導入ポートに一端が接続されたメイン流路と、前記希釈用ガス導入ポートに一端が接続され、他端が前記メイン流路に接続された希釈用ガス流路と、前記メイン流路及び前記希釈用ガス流路の接続点又はその下流側に設けられ、前記希釈用ガスにより希釈された希釈排ガスの一部を採取するサンプリング部と、前記サンプリング部に一端が接続され、他端が希釈排ガス分析機器に接続された希釈排ガスサンプル流路と、前記希釈用ガス流路に一端が接続され、他端が希釈用ガス分析機器に接続された希釈用ガスサンプル流路と、前記希釈用ガスサンプル流路に設けられて、当該希釈用ガスサンプル流路を流れる希釈用ガスの流量を制御する流量制御部とを備え、前記サンプリング部が、前記希釈排ガス分析機器に導入される希釈排ガスの流量を制御する複数のベンチュリを並列に接続して構成されており、前記流量制御部が、前記希釈用ガス分析機器に導入される希釈用ガスの流量を制御する複数のベンチュリを並列に接続して構成されていることを特徴とする。
【００１０】
このようなものであれば、サンプリング部が複数のベンチュリを並列に接続して構成されているので、希釈排ガスをサンプリングするベンチュリを切り替える又は組み合わせることで、種々のサンプリング流量の希釈排ガスを希釈排ガス分析機器に導入することができる。そして、希釈用ガス流路に設けた流量制御部が、複数のベンチュリを並列に接続して構成されているので、前記サンプリング部による希釈排ガス流量に合わせて流量制御部のベンチュリを切り替える又は組み合わせることで、希釈用ガス流量を精度良く得ることができる。ここで、流量制御部を複数のベンチュリを用いて構成しているので、希釈用ガス流路の構成をニードルバルブを用いた場合に比べて大型化を抑えることができ、また、コストの増大も抑えることができる。
【００１１】
前記サンプリング部を構成する複数のベンチュリが、互いに異なる臨界流量を有するものであり、前記流量制御部を構成する複数のベンチュリが、互いに異なる臨界流量を有するものであり、前記サンプリング部を構成する複数のベンチュリの組み合わせ及び前記流量制御部を構成する複数のベンチュリの組み合わせが同じであることが望ましい。これならば、サンプリング部の複数のベンチュリによる希釈排ガス流量と、流量制御部の複数のベンチュリによる希釈用ガス流量とをより精度良く簡単に同一にできる。
【００１２】
前記メイン流路において、前記サンプリング部よりも下流側に、前記メイン流路を流れる希釈排ガスの流量を一定にする一定流量制御機器が設けられていることが望ましい。これならば、排ガスサンプリング装置を定容量サンプリング装置とすることができる。
【００１３】
前記希釈排ガス分析機器が、前記希釈排ガスを採取するための希釈排ガス採取バッグであり、前記希釈用ガス分析機器が、前記希釈用ガスを採取するための希釈用ガス採取バッグであることが望ましい。このように希釈排ガス採取バッグ及び希釈用ガス採取バッグを用いた排ガスサンプリング装置においては、それらガス採取バッグの破裂を防ぎ、各ガス採取バッグに略同量のガスを採取することができるので、本発明の効果が一層顕著となる。
【発明の効果】
【００１４】
このように構成した本発明によれば、希釈用ガスサンプル流路に設けられた流量制御部が複数のベンチュリから構成されているので、希釈排ガスを採取するサンプリング部を複数のベンチュリで構成した場合において、装置を大型化及びコスト増大を抑えつつ、複数のベンチュリの組み合わせにより得られる希釈排ガス流量に合わせて希釈用ガス流量を精度良く得ることができる。
【図面の簡単な説明】
【００１５】
【図１】本実施形態の排ガスサンプリング装置の構成を示す図。
【図２】同実施形態のサンプリング部の具体的構成を示す模式図。
【図３】同実施形態の流量制御部の具体的構成を示す模式図。
【発明を実施するための形態】
【００１６】
以下に本発明に係る排ガスサンプリング装置について図面を参照して説明する。
【００１７】
本実施形態の排ガスサンプリング装置１００は、例えばエンジン等から排出される排ガス中に含まれる成分分析を行うためのガス分析システムに用いられるものであり、排ガスを大気（希釈用空気）等の希釈用ガスで数倍（例えば１０倍〜２０倍）に希釈し、濃度計測を行う希釈サンプリング方式のものである。
【００１８】
具体的にこの排ガスサンプリング装置１００は、定容量サンプリング装置であり、図１に示すように、排ガスを導入するための排ガス導入ポートＰＴ１に一端が接続されたメイン流路ＭＬと、希釈用ガスを導入するための希釈用ガス導入ポートＰＴ２に一端が接続され、他端が前記メイン流路ＭＬに接続された希釈用ガス流路ＤＬとを備えている。
【００１９】
メイン流路ＭＬは、一端に排ガス導入ポートＰＴ１が設けられた排ガスを導入する排ガス導入配管２と、当該排ガス導入配管２に接続された混合部３と、当該混合部３の下流に接続されたダスト除去用のサイクロン４と、当該サイクロン４に接続されたサンプリング配管５と、当該サンプリング配管５に接続された一定流量制御機器６とにより構成されている。また、希釈用ガス流路ＤＬは、一端に希釈用ガス導入ポートＰＴ２が設けられた希釈用ガス導入配管７により構成されている。なお、希釈用ガス導入ポートＰＴ２には、大気中の夾雑物を除去するためのフィルタ（不図示）が設けられている。
【００２０】
ここで、混合部３は、前記希釈用ガス流路ＤＬを構成する希釈用ガス導入配管７と前記排ガス導入配管２とが接続されるものであり、例えばミキシングティーと呼ばれるものである。
【００２１】
また、サンプリング配管５は、後述するバッグ採取用のサンプリング部８が設けられるとともに、連続測定用のサンプリング部が設けられるものである。
【００２２】
一定流量制御機器６は、前記排ガス導入配管２から導入される排ガスと希釈用ガス導入配管７から導入される希釈用ガスとの総流量が一定となるように流量制御するものであり、前記サンプリング配管５の下流に接続された臨界流量ベンチュリ（ＣＦＶ）からなるメインベンチュリ６１と、このメインベンチュリ６１の下流に接続された例えばブロワ等の吸引ポンプ６２により構成される。この吸引ポンプ６２によりメインベンチュリ６１の上流側及び下流側の差圧が必要値以上にすることで前記総流量が一定となる。なお、吸引ポンプ６２により吸引された希釈排ガスは外部に放出される。
【００２３】
しかして本実施形態の排ガスサンプリング装置１００は、メイン流路ＭＬ及び希釈用ガス流路ＤＬの接続点又はその下流側に設けられ、希釈用ガスにより希釈された希釈排ガスの一部を採取するサンプリング部８と、サンプリング部８に一端が接続され、他端が希釈排ガス分析機器Ｍ１（例えば希釈排ガス採取バッグ）に接続された希釈排ガスサンプル流路ＳＬ１と、希釈用ガス流路ＤＬに一端が接続され、他端が希釈用ガス分析機器Ｍ２に接続された希釈用ガスサンプル流路ＳＬ２と、希釈用ガスサンプル流路ＳＬ２に設けられて、当該希釈用ガスサンプル流路ＳＬ２を流れる希釈用ガスの流量を制御する流量制御部９とを備えている。なお、本実施形態では、希釈排ガス分析機器Ｍ１が希釈排ガス採取バッグであり、希釈用ガス分析機器Ｍ２が希釈用ガス採取バッグである。
【００２４】
サンプリング部８は、一定流量制御機器６によって総流量が一定とされたメイン流路ＭＬから一定流量の希釈排ガスを比例サンプリングするものであり、図２に示すように、希釈排ガス採取バッグＭ１に導入される希釈排ガスの流量を制御する複数（図２では３つ）のベンチュリ８１ａ〜８１ｃを並列に接続して構成されている。具体的にサンプリング部８は、互いに異なる臨界流量を有するベンチュリ８１ａ〜８１ｃを並列に接続してあり、各ベンチュリ８１ａ〜８１ｃの上流側又は下流側（本実施形態では下流側）には開閉弁８２ａ〜８２ｃが設けられている。なお、この開閉弁８２ａ〜８２ｃは、後述する制御機器（不図示）により制御される電磁弁である。この開閉弁８２ａ〜８２ｃの下流側で各流路は合流しており、希釈排ガスサンプル流路ＳＬ１に連通している。
【００２５】
なお、サンプリング部８のベンチュリ８１ａ〜８１ｃは、上流側の圧力に関わらず上流側及び下流側に必要値以上の圧力差が発生すれば、ベンチュリ８１ａ〜８１ｃを通過するガス流量は臨界流量で一定となるが、実際には、メインベンチュリ６１の上流側に設けられた圧力センサＰＳの検出圧力（Ｐ）及び温度センサＴＳの検出温度（Ｔ）と、予め大気圧の雰囲気下において検定した固有のベンチュリ係数Ｃとから算出する（Ｑ＝Ｃ・Ｐ・Ｔ−１／２））。そして、この算出したガス流量を積算して、希釈排ガス採取バッグＭ１の容量を超える前に希釈排ガスのサンプリングを終了する。
【００２６】
希釈排ガスサンプル流路ＳＬ１は、一端がサンプリング部８に接続されており、下流側で複数に分岐しており、各サンプル分岐路ＳＬ１ａ〜ＳＬ１ｃの他端が希釈排ガス採取バッグＭ１に接続されている。各サンプル分岐路ＳＬ１ａ〜ＳＬ１ｃには、採取すべき希釈排ガス採取バッグＭ１を切り替えるための開閉弁Ｖ１ａ〜Ｖ１ｃが設けられている。また、希釈排ガスサンプル流路ＳＬ１における分岐点の上流側には、前記サンプリング部８のベンチュリ８１ａ〜８１ｃを流れるガス流量を臨界流量とするための吸引ポンプＰ１が設けられている。なお、吸引ポンプＰ１及び分岐点の間には、ドレンセパレータ及び流量計（いずれも不図示）が設けられている。また、希釈排ガスサンプル流路ＳＬ１は、外部ヒータ等によって加熱されており、希釈排ガスに含まれる水等の成分が結露又は凝縮しないように構成している。
【００２７】
希釈用ガスサンプル流路ＳＬ２は、一端が希釈用ガス流路ＤＬを構成する希釈用ガス導入配管７に接続されており、下流側で複数に分岐して、各サンプル分岐路ＳＬ２ａ〜ＳＬ２ｃの他端が希釈用ガス採取バッグＭ２に接続されている。各サンプル分岐路ＳＬ２ａ〜ＳＬ２ｃには、採取すべき希釈用ガス採取バッグＭ２を切り替えるための開閉弁Ｖ２ａ〜Ｖ２ｃが設けられている。また、希釈用ガスサンプル流路ＳＬ２における分岐点の上流側には、後述する流量制御部９のベンチュリ９１ａ〜９１ｃを流れるガス流量を臨界流量とするための吸引ポンプＰ２が設けられている。なお、吸引ポンプＰ２及び分岐点の間には、ドレンセパレータ及び流量計（いずれも不図示）が設けられている。
【００２８】
流量制御部９は、図３に示すように、希釈用ガスサンプル流路ＳＬ２に設けられて、希釈用ガス採取バッグＭ２に導入される希釈用ガスの流量を制御する複数（図３では３つ）のベンチュリ９１ａ〜９１ｃを並列に接続して構成されている。具体的に流量制御部９は、互いに異なる臨界流量を有するベンチュリ９１ａ〜９１ｃを並列に接続してあり、各ベンチュリ９１ａ〜９１ｃの上流側又は下流側（本実施形態では上流側）には開閉弁９２ａ〜９２ｃが設けられている。なお、この開閉弁９２ａ〜９２ｃは、後述する制御機器（不図示）により制御される電磁弁である。
【００２９】
なお、流量制御部９のベンチュリ９１ａ〜９１ｃは、上流側の圧力に関わらず上流側及び下流側に必要値以上の圧力差が発生すれば、ベンチュリ９１ａ〜９１ｃを通過するガス流量は臨界流量で一定となるが、実際には、予め定めた標準圧力（Ｐ０）及び標準温度（Ｔ０）と、予め大気圧の雰囲気下において検定した固有のベンチュリ係数Ｃとから算出する（Ｑ＝Ｃ・Ｐ０・Ｔ０−１／２））。そして、この算出したガス流量を積算して、希釈用ガス採取バッグＭ２の容量を超える前に希釈用ガスのサンプリングを終了する、或いは、前記サンプリング部８によりサンプリングが終了すると同時に終了する。
【００３０】
そして、この流量制御部９を構成する３つのベンチュリ９１ａ〜９１ｃそれぞれの臨界流量と、前記サンプリング部８を構成する３つのベンチュリ８１ａ〜８１ｃそれぞれの臨界流量がほぼ同一となるように構成されている。つまり、サンプリング部８を構成する３つのベンチュリ８１ａ〜８１ｃの組み合わせ及び流量制御部９を構成する３つのベンチュリ９１ａ〜９１ｃの組み合わせが同じである。例えば、ベンチュリ８１ａ及びベンチュリ９１ａが同一（臨界流量：Ｑａ）であり、ベンチュリ８１ｂ及びベンチュリ９１ｂが同一（臨界流量：Ｑｂ）であり、ベンチュリ８１ｃ及びベンチュリ９１ｃが同一（臨界流量：Ｑｃ）である。
【００３１】
次に、このように構成したサンプリング部８及び流量制御部９を制御する制御機器の動作について簡単に説明する。
【００３２】
制御機器は、サンプリング部８を構成する３つのベンチュリ８１ａ〜８１ｃにおいて、予め設定された希釈排ガス採取バッグＭ１への設定流量に基づいて、希釈排ガスを採取するベンチュリ８１ａ〜８１ｃの組み合わせ流量が、前記設定流量となるようにサンプリング部８の開閉弁８２ａ〜８２ｃを開閉制御する。図２のように３つのベンチュリ８１ａ〜８１ｃを有するものの場合には、計７通りの流量を設定することができる。
【００３３】
そして、制御機器は、前記設定流量又は前記サンプリング部８のベンチュリ８１ａ〜８１ｃの組み合わせ流量となるように、流量制御部９の開閉弁９２ａ〜９２ｃを開閉制御する。なお、本実施形態の流量制御部９は、サンプリング部８と同一の構成であるため、サンプリング部８における開閉弁８２ａ〜８２ｃの開閉の組み合わせと同一の組み合わせとなるように開閉弁９２ａ〜９２ｃが開閉制御される。
【００３４】
このように制御機器が、サンプリング部８及び流量制御部９を制御することによって、同一のサンプリング時間における希釈排ガス採取バッグＭ１に導入される希釈排ガス流量と希釈用ガス採取バッグＭ２に導入される希釈用ガス流量とが同一となる。
【００３５】
このように構成した本実施形態に係る排ガスサンプリング装置１００によれば、サンプリング部８が複数のベンチュリ８１ａ〜８１ｃを並列に接続して構成されているので、希釈排ガスをサンプリングするベンチュリ８１ａ〜８１ｃを切り替える又は組み合わせることで、種々のサンプリング流量の希釈排ガスを希釈排ガス採取バッグＭ１に導入することができる。
そして、希釈用ガス流路ＤＬに設けた流量制御部９が、複数のベンチュリ９１ａ〜９１ｃを並列に接続して構成されているので、前記サンプリング部８による希釈排ガス流量に合わせて流量制御部９のベンチュリ９１ａ〜９１ｃを切り替える又は組み合わせることで、希釈用ガス流量を精度良く得ることができる。
ここで、流量制御部９を複数のベンチュリ９１ａ〜９１ｃを用いて構成しているので、希釈用ガス流路ＤＬの構成をニードルバルブを用いた場合に比べて大型化を抑えることができ、また、コストの増大も抑えることができる。
なお、流量制御部９を複数のニードルバルブを並列に接続して構成すると、バルブ上流側の圧力低下が流量に影響を与えてしまうが、本実施形態ではベンチュリ９１ａ〜９１ｃでは、下流側の圧力を吸引ポンプＰ２により下げて、上流側の圧力に関わらずベンチュリ９１ａ〜９１ｃの上流側圧力及び下流側圧力の差圧を必要値以上にすれば一定流量を得ることができ、希釈用ガス流量を精度良く得ることができる。
【００３６】
なお、本発明は前記実施形態に限られるものではない。
【００３７】
例えば、前記実施形態では、サンプリング部８及び流量制御部９それぞれにおいて、互いに臨界流量の異なるベンチュリを用いて構成しているが、同じ臨界流量を有するベンチュリを用いて構成しても良い。
【００３８】
また、前記実施形態では、サンプリング部８を構成する複数のベンチュリの組み合わせ及び流量制御部９を構成する複数のベンチュリの組み合わせが同一であったが異なるものであっても良い。また、サンプリング部８を構成するベンチュリの個数及び流量制御部９を構成するベンチュリの個数が互いに異なるものであっても良い。
【００３９】
さらに、前記実施形態の排ガスサンプリング装置を大気圧よりも低い低圧室で用いた場合には、流量制御部９を構成するベンチュリ９１ａ〜９１ｃにおいて流量誤差が生じてしまう。これは、流量制御部９を構成するベンチュリ９１ａ〜９１ｃは、大気圧化において所望のガス流量となるように調整されており、ガス流量の算出において予め定めた標準温度及び標準圧力を用いているためである。このため、流量制御部９のベンチュリ９１ａ〜９１ｃを流れるガス流量の算出において、サンプリング配管５に設けられた圧力センサＰＳの検出圧力及び温度センサＴＳの検出温度を用いて算出するように構成しても良い。これならば、標準圧力及び標準温度を用いた場合に比べて流量制御部９のベンチュリ９１ａ〜９１ｃを流れるガス流量を精度良く算出することができ、希釈用ガス採取バッグＭ２の破裂を防ぐことができる。
【００４０】
その上、前記実施形態では、希釈排ガス分析機器及び希釈用ガス分析機器が、ガス採取バッグであったが、その他、ガスに含まれるＰＭを捕集するためのＰＭフィルタ等であっても良い。
【００４１】
加えて、前記実施形態の排ガスサンプリング装置は排ガスを全量希釈するものであったが、部分希釈するものであっても良い。つまり、前記排ガス導入ポートＰＴ１が排ガスの一部を採取してメイン流路ＭＬに導入するものであっても良い。
【００４２】
その他、本発明は前記実施形態に限られず、その趣旨を逸脱しない範囲で種々の変形が可能であるのは言うまでもない。
【符号の説明】
【００４３】
１００・・・排ガスサンプリング装置
ＰＴ１・・・排ガス導入ポート
ＰＴ２・・・希釈用ガス導入ポート
ＭＬ・・・メイン流路
ＤＬ・・・希釈用ガス流路
８・・・サンプリング部
８１ａ〜８１ｃ・・・複数のベンチュリ
ＳＬ１・・・希釈排ガスサンプル流路
Ｍ１・・・希釈排ガス採取バッグ（希釈排ガス分析機器）
ＳＬ２・・・希釈用ガスサンプル流路
Ｍ２・・・希釈用ガス採取バッグ（希釈用ガス分析機器）
９・・・流量制御部
９１ａ〜９１ｃ・・・複数のベンチュリ
【図１】
2014173910.tif 000003
【図２】
2014173910.tif 000004
【図３】
2014173910.tif 000005